(57)【要約】【課題】収納されたマスクを効果的に除菌できて使い勝手も良いマスク収納ケースを提供する。【解決手段】左右に開閉可能で、内部にマスクＭを収納可能なケース本体１０と、ケース本体１０の内側左右に設けられ、収納されたマスクＭに対して紫外線を放射可能な左右の紫外線ライト２０Ｌ，２０Ｒと、左右の紫外線ライト２０Ｌ，２０Ｒを収納する銅製メッシュ袋体３０と、左右に開かれた状態において、銅製メッシュ袋体３０の奥部に設けられた、予備マスクＭ２の収納部を備えている。【選択図】図１
0003232468.tif 000002
【実用新案登録請求の範囲】
【請求項１】
左右に開閉可能で、内部にマスク（Ｍ）を収納可能なケース本体（１０）と、
このケース本体（１０）の内側左右に設けられ、収納されたマスク（Ｍ）に対して紫外線を放射可能な左右の紫外線ライト（２０Ｌ，２０Ｒ）と、
を備えたことを特徴とするマスク収納ケース。
【請求項２】
請求項１において、さらに、
前記左右の紫外線ライト（２０Ｌ，２０Ｒ）と、収納されたマスク（Ｍ）との間に介在される銅製メッシュシート（３０）を備えていることを特徴とするマスク収納ケース。
【請求項３】
請求項１において、さらに、
前記左右の紫外線ライト（２０Ｌ，２０Ｒ）を収納する銅製メッシュ袋体（３０）と、
左右に開かれた状態において、前記銅製メッシュ袋体（３０）の奥部に設けられた、予備マスク収納部（１１）を備えていることを特徴とするマスク収納ケース。
【請求項４】
請求項１〜３のうちいずれか一項において、さらに、
前記ケース本体（１０）を開閉する金属製ファスナー（１２）を備え、
該ファスナーの金属部は抗菌性を有する金属で作られていることを特徴とするマスク収納ケース。
【考案の詳細な説明】
【技術分野】
【０００１】
本考案は、マスク収納ケースに関するものである。より詳しくは、除菌ないし殺菌機能を備えたマスク収納ケースに関するものである。
【背景技術】
【０００２】
従来、例えば特許文献１に見られるように、
「一時的に外したマスクを清潔、且つ簡単に収納、取り出しができ、更に予備の未使用マスクと使用中のマスクとを区分けして収納・保管することができるマスク保管ケースを提供する。」ことを課題とし（同文献要約欄）、
「ケース本体と、２つの内側袋部と、表側袋部からなる。ケース本体は、裏地に抗菌消臭加工をした生地を使用し、且つ一方を縫い合わせ、他方をファスナーにて閉塞される上下カバーにて構成される。内側袋部は上又は下カバーの内面に備えられ、封止具にて、使用済み又は未使用のマスクを収納する。表側袋部は、上カバーの外面に備えられ、カードを収納する。２つの内側袋部の間には、使用途中のマスクを一時的に収納保管する空間を具備する。」ことを構成としたマスク保管ケースが知られている（同文献要約欄）。
【０００３】
このようなマスク保管ケースによれば、ケース本体は、裏地に抗菌消臭加工をした生地を使用しているので、ある程度の抗菌消臭効果は期待することができる。
【０００４】
しかしこのものは、裏地に抗菌消臭加工をした生地を使用しているだけなので、収納されたマスクを必ずしも効果的に除菌できないという難点がある。
【０００５】
また、従来、例えば非特許文献１および図３に見られるような「UV-Cマスク除菌ケース」が知られている。
【０００６】
このUV-Cマスク除菌ケースによれば、UV-C領域の紫外線によって、収納されたマスクの効果的な除菌（殺菌）を期待することができる。
【０００７】
しかしながら、このUV-Cマスク除菌ケースは、ケース内にマスクを押し込んで使用する構成であるため、使い勝手が良いとは言えない。
【０００８】
また、従来、例えば非特許文献２および図４に見られるような「銅を使った抗菌マスクケース」が知られている。
【０００９】
この抗菌マスクケースは、ケース本体に銅粉末を練り込んだものであるから、ある程度の抗菌消臭効果は期待することができる。
【００１０】
しかしこのものは、ケース本体に銅粉末を練り込んでいるだけなので、収納されたマスクを必ずしも効果的に除菌できないという難点がある。
【先行技術文献】
【特許文献】
【００１１】
【特許文献１】実用新案登録第3158159号公報
【非特許文献】
【００１２】
【非特許文献１】Amazon.co.jp： MEDIK UV-Cマスク除菌ケース 10分でマスクを除菌＆乾燥 携帯に最適 ホワイト アクリルスタンド付き MDK-M02URL:https://www.amazon.co.jp/MEDIK-ULTRAWAVE-LED%E6%B7%B1%E7%B4%AB%E5%A4%96%E7%B7%9A%E3%81%A799-9-%E3%81%AE%E3%83%9E%E3%82%B9%E3%82%AF%E3%81%AE%E9%99%A4%E8%8F%8C%E3%81%A8%E4%B9%BE%E7%87%A5-%E3%82%A2%E3%82%AF%E3%83%AA%E3%83%AB%E3%82%B9%E3%82%BF%E3%83%B3%E3%83%89%E4%BB%98%E3%81%8D-MDK-M02/dp/B089KCJ5QD
【非特許文献２】Amazon _ 銅を使った抗菌マスクケース 消臭 滅菌 繰り返しマスクが使える SafeLean 銅による殺菌効果 カビにも強い スマホやお金の除菌にもURL:https://www.amazon.co.jp/%E9%8A%85%E3%82%92%E4%BD%BF%E3%81%A3%E3%81%9F%E6%8A%97%E8%8F%8C%E3%83%9E%E3%82%B9%E3%82%AF%E3%82%B1%E3%83%BC%E3%82%B9-%E7%B9%B0%E3%82%8A%E8%BF%94%E3%81%97%E3%83%9E%E3%82%B9%E3%82%AF%E3%81%8C%E4%BD%BF%E3%81%88%E3%82%8B-SafeLean-%E9%8A%85%E3%81%AB%E3%82%88%E3%82%8B%E6%AE%BA%E8%8F%8C%E5%8A%B9%E6%9E%9C-%E3%82%B9%E3%83%9E%E3%83%9B%E3%82%84%E3%81%8A%E9%87%91%E3%81%AE%E9%99%A4%E8%8F%8C%E3%81%AB%E3%82%82/dp/B087YSPCZ1
【考案の概要】
【考案が解決しようとする課題】
【００１３】
本考案が解決しようとする課題は、収納されたマスクを効果的に除菌できて使い勝手も良いマスク収納ケースを提供することである。
【課題を解決するための手段】
【００１４】
上記課題を解決するために、本考案のマスク収納ケースは、
左右に開閉可能で、内部にマスクを収納可能なケース本体と、
このケース本体の内側左右に設けられ、収納されたマスクに対して紫外線を放射可能な左右の紫外線ライトと、
を備えたことを特徴とする。
【００１５】
このマスク収納ケースは、上記の構成となっているので、次のような作用効果が得られる。
ケース本体が左右に開閉可能であるので、マスクを入れやすく、収納しやすい。つまり、使い勝手が良い。
ケース本体の内側左右には、左右の紫外線ライトが設けられているので、これら左右の紫外線ライトによって、それぞれ、収納されたマスクに対して紫外線が放射されるため、収納されたマスクが効果的に除菌される。
【００１６】
以上のように、このマスクケースによれば、収納されたマスクを効果的に除菌できて使い勝手も良いという効果が得られる。
【００１７】
このマスク収納ケースにおいては、さらに、
前記左右の紫外線ライトと、収納されたマスクとの間に介在される銅製メッシュシートを備えている構成とすることができる。
このように構成すると、収納されたマスクが、紫外線に加え、銅製メッシュシートによっても除菌されるので、除菌効果が向上する。
ここで、収納されたマスクとの間に介在されるシートは、メッシュ状のシートであるから、これによって、紫外線の照射が阻害されるということもない。
しかも、収納されたマスクと紫外線ライトとの間に銅製メッシュシートが介在されることで、紫外線ライトとマスクとが密着しなくなり、紫外線のマスクに対する照射範囲が広がり、除菌効果が向上する。
【００１８】
このマスク収納ケースにおいては、さらに、
前記左右の紫外線ライトを収納する銅製メッシュ袋体と、
左右に開かれた状態において、前記銅製メッシュ袋体の奥部に設けられた、予備マスク収納部を備えている構成とすることができる。
このように構成すると、紫外線ライトが銅製メッシュ袋体に収納されているため、紫外線ライトの保護機能が高まるとともに、収納されたマスクが、紫外線に加え、銅製メッシュによっても除菌されるので、除菌効果が向上する。
収納されたマスクとの間に介在されるのはメッシュ状であるから、これによって、紫外線の照射が阻害されるということもない。
また、使用中のマスクと、未使用の予備マスクとが銅製メッシュ袋体および紫外線ライトで仕切られた状態となるため、予備マスクの衛生状態が良好に維持される。
【００１９】
このマスク収納ケースにおいては、さらに、
前記ケース本体を開閉する金属製ファスナーを備え、
該ファスナーの金属部は抗菌性を有する金属で作られている構成とすることができる。
このように構成すると、抗菌性がさらに向上する。
【図面の簡単な説明】
【００２０】
【図１】本考案に係るマスク収納ケースの実施の形態を示す図で、（ａ）はケースを開いた状態の平面図、（ｂ）は図（ａ）におけるｂ−ｂ端面図、（ｃ）は図（ａ）におけるｃ−ｃ端面図、（ｄ）は閉じた状態の透視側面図。
【図２】電池とライトとの接続構造を示す概略図で、（ａ）はケースを開いた状態の平面図、（ｂ）は図（ａ）におけるｂ−ｂ端面図。
【図３】従来例を示す図。
【図４】他の従来例を示す図。
【考案を実施するための形態】
【００２１】
以下、本考案に係るマスク収納ケースの実施の形態について図面を参照して説明する。なお、各図において、同一部分ないし相当する部分には、同一の符号を付してある。
【００２２】
図１に示すように、この実施の形態のマスク収納ケース１は、
左右に開閉可能で、内部にマスクＭを収納可能なケース本体１０と、
このケース本体１０の内側左右に設けられ、収納されたマスクＭに対して紫外線を放射可能な左右の紫外線ライト２０Ｌ，２０Ｒと、
を備えている。
【００２３】
このマスク収納ケース１は、上記の構成となっているので、次のような作用効果が得られる。
【００２４】
ケース本体１０が左右に開閉可能であるので、マスクＭを入れやすく、収納しやすい。つまり、使い勝手が良い。
【００２５】
ケース本体１０の内側左右には、左右の紫外線ライト２０Ｌ，２０Ｒが設けられているので、これら左右の紫外線ライト２０（Ｌ，Ｒ）によって、それぞれ、収納されたマスクＭに対して紫外線が放射されるため、収納されたマスクＭが効果的に除菌される。
【００２６】
以上のように、このマスクケースによれば、収納されたマスクＭを効果的に除菌できて使い勝手も良いという効果が得られる。
【００２７】
さらに、このマスクＭ収納ケース１は、
左右の紫外線ライト２０Ｌ，２０Ｒと、収納されたマスクＭとの間に介在される銅製メッシュシート３０を備えている。
【００２８】
このように構成すると、収納されたマスクＭが、紫外線に加え、銅製メッシュシート３０によっても除菌されるので、除菌効果が向上する。
ここで、収納されたマスクＭとの間に介在されるシート３０は、メッシュ状のシートであるから、これによって、紫外線の照射が阻害されるということもない。
【００２９】
しかも、収納されたマスクＭと紫外線ライト２０Ｌ，２０Ｒとの間に銅製メッシュシート３０が介在されることで、紫外線ライト２０Ｌ，２０ＲとマスクＭとが密着しなくなり、紫外線のマスクＭに対する照射範囲が広がり、除菌効果が向上する。
【００３０】
なお、この実施の形態では、銅製メッシュシート３０は、以下に説明するように、袋体として構成されているが、袋体とせず、単なる銅製メッシュシートで構成しても良い。
【００３１】
この実施の形態では、銅製メッシュシート３０は、袋体として構成されている。
この実施の形態のマスクＭ収納ケース１は、
左右の紫外線ライト２０Ｌ，２０Ｒを収納する銅製メッシュ袋体３０と、
左右に開かれた状態において、銅製メッシュ袋体３０の奥部に設けられた、予備マスク収納部１１を備えている。図中、Ｍ２が予備マスクである。
【００３２】
このように構成すると、紫外線ライト２０Ｌ，２０Ｒが銅製メッシュ袋体３０に収納されているため、紫外線ライト２０Ｌ，２０Ｒの保護機能が高まるとともに、収納されたマスクＭ（Ｍ２）が、紫外線に加え、銅製メッシュ（３０）によっても除菌されるので、除菌効果が向上する。
【００３３】
収納されたマスクＭ（Ｍ２）との間に介在されるのはメッシュ状であるから、これによって、紫外線の照射が阻害されるということもない。
【００３４】
また、使用中のマスクＭと、未使用の予備マスクＭ２とが銅製メッシュ袋体３０および紫外線ライト２０Ｌ，２０Ｒで仕切られた状態となるため、予備マスクＭ２の衛生状態が良好に維持される。
【００３５】
このマスクＭ収納ケースは、
ケース本体１０を開閉する金属製ファスナー１２を備え、
該ファスナーの金属部は抗菌性を有する金属で作られている。
【００３６】
このように構成すると、抗菌性がさらに向上する。
ファスナー１２は例えば銅製ファスナーで構成する。
【００３７】
ケース本体１０は、公知の適宜の材質（例えば、合成樹脂、布、革等）で構成することができる。
ケース本体１０を左右に開閉可能とするための構造は公知の適宜の構造を採用することができる。この実施の形態では、スライドファスナー１２を用いている。１２ｂはスライドファスナーの摘まみである。
【００３８】
銅製メッシュ袋体３０の下部（下縁）３１は、ケース本体内面に接着等適宜の固定手段で固定されており、袋体３０は、下部３１回り（図１（ｂ）において上下方向、図１（ｃ）において左右方向）に回動可能となっている。
【００３９】
左右の紫外線ライト２０Ｌ，２０Ｒは、銅製メッシュ袋体３０の内面に対して、適宜の固定手段（例えば、接着、縫着等）で固定されている。
左右の紫外線ライト２０Ｌ，２０Ｒとしては、UV-C領域の紫外線を放射しうる公知の適宜の紫外線ライト（ＬＥＤを含む）を採用し得る。
【００４０】
左右の紫外線ライト２０Ｌ，２０Ｒの電源は、公知の適宜の電源（一次電池、二次電池等）を採用できる。
例えば、図２に示すように、電池５０はケース内中央に配置し、左右の紫外線ライト２０Ｌ，２０Ｒと電線５１で接続する。
【００４１】
以上、本考案の実施の形態について説明したが、本考案は上記の実施の形態に限定されるものではなく、本考案の要旨の範囲内において適宜変形実施可能である。
【符号の説明】
【００４２】
１    マスク収納ケース
１０    ケース本体
１２    金属製ファスナー
２０（Ｌ，Ｒ）    紫外線ライト
３０    銅製メッシュ袋体
Ｍ    マスク
【図１】
0003232468.tif 000003
【図２】
0003232468.tif 000004
【図３】
0003232468.tif 000005
【図４】
0003232468.tif 000006